【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
少なくとも１つの組成物を含むモデリングコンパウンドであって、
前記組成物は、
ａ）酢酸ビニルと少なくとも１つの他のビニルエステルとの１つ以上のコポリマー、または
酢酸ビニルの少なくとも１つのホモポリマーおよび酢酸ビニルと少なくとも１つの他のビニルエステルとの少なくとも１つのコポリマー、
ｂ）少なくとも１つの軟化剤
ｄ）少なくとも１つのフィラー
を含み、
成分ａ）は、成分ａ）および成分ｂ）の３０〜９５重量％の量で存在し、
成分ｂ）は、成分ａ）および成分ｂ）の１０〜７０重量％の量で存在する
モデリングコンパウンド。
【請求項２】
ｃ）任意に成分ａ）〜成分ｃ）の０．２〜１０重量％の量で存在する、少なくとも１つのシリコーン油、
をさらに含み、
任意に、成分ｃ）は、２５℃における粘度が１〜５０００ｍＰａｓのシリコーン油またはヒドロキシル基末端シリコーン油である
請求項１に記載のモデリングコンパウンド。
【請求項３】
前記酢酸ビニルの少なくとも１つのホモポリマーまたはコポリマーは、ポリ酢酸ビニルホモポリマーである、請求項１または２に記載のモデリングコンパウンド。
【請求項４】
前記酢酸ビニルの少なくとも１つのホモポリマーまたはコポリマーは、酢酸ビニルと少なくとも１つの他のビニルエステルとのコポリマーであり、
任意に、前記他のビニルエステルは式Ｈ2Ｃ＝ＣＨ−Ｏ−ＣＯ−Ｒで表され、式中、Ｒは炭素数２〜１８の分岐鎖または直鎖のアルキル基であり、
任意に、前記他のビニルエステルは、プロパン酸、ブタン酸、ペンタン酸、ヘキサン酸、エナント酸、カプリル酸、ペラルゴン酸、カプリン酸、ウンデシル酸、ラウリン酸、トリデシル酸、ミリスチン酸、およびそれらの混合物から選択される少なくとも１つのビニルエステルであり、
任意に、前記コポリマーは、酢酸ビニルとラウリン酸ビニルとのコポリマーである
請求項１〜３のいずれか一項に記載のモデリングコンパウンド。
【請求項５】
前記軟化剤は、少なくとも１つのグリセロールエステルを含む、請求項１〜４のいずれか一項に記載のモデリングコンパウンド。
【請求項６】
前記軟化剤は、下記式（ｉ）で表される少なくとも１つの化合物を含み、
任意に、前記アシル基、前記脂肪酸アシル基および／または前記ヒドロキシル化脂肪酸アシル基は、酢酸、プロパン酸、ブタン酸、ペンタン酸、ヘキサン酸、エナント酸、カプリル酸、ペラルゴン酸、カプリン酸、ウンデシル酸、ラウリン酸、トリデシル酸、ミリスチン酸、カプロン酸、カプリル酸、パルミチン酸、フィタン酸、パルミトレイン酸（palmitolic）、サピエン酸、ステアリン酸、オレイン酸、エライジン酸、バクセン酸、リノール酸、リノレライド酸（linoelaidic）、リノレン酸、アラキドン酸、ベヘン酸、リグノセリン酸、リシノール酸、α−リノレン酸およびジヒドロキシステアリン酸の少なくとも１つの酸のアシル基から選択される；ならびに／または
前記軟化剤は、グリセロール、ジアセチルグリセロール、トリアセチルグリセロール、ヒマシ油モノグリセリド、硬化脂肪酸モノグリセリド、酢酸モノグリセリド、硬化ヒマシ油モノグリセリドのアセテート、モノアシルグリセロール、ジアシルグリセロール、トリアシルグリセロール脂肪酸、脂肪酸エステル、炭素数６〜２４のアルキルアルコール、およびそれらの混合物から選択される少なくとも１つである
請求項１〜５のいずれか一項に記載のモデリングコンパウンド。
【化２】
2019511625.tif 000001
（式中、Ｒ１〜Ｒ３のそれぞれは、水素、炭素数２〜２２の分岐鎖または直鎖アシル基、炭素数２〜２２の飽和または不飽和脂肪酸アシル基、炭素数２〜２２の飽和または不飽和のモノ、ジまたはトリヒドロキシル化脂肪酸アシル基、およびそれらの混合物から独立して選択される。）
【請求項７】
成分ａ）および成分ｂ）ならびに存在する場合は任意の成分ｃ）の５０〜９０重量％の量の成分ａ）を含む、ならびに／または
成分ａ）および成分ｂ）ならびに存在する場合は任意の成分ｃ）の１０〜５０重量％の量の成分ｂ）を含む
請求項１〜６のいずれか一項に記載のモデリングコンパウンド。
【請求項８】
成分ｄ）は、砂フィラー、ガラスフィラー、ポリマーフィラー、鉱物フィラーまたはそれらの混合物を含み、
任意に、前記砂フィラーは、平均粒径が１００μｍ〜５ｍｍ、好ましくは２００μｍ〜３ｍｍの石英砂および／または珪砂であり、
任意に、前記ガラスフィラーは、平均粒径が好ましくは１００μｍ〜２ｍｍの粉砕ガラスフィラー、ガラス球フィラー、中空ガラス球フィラーまたはそれらの混合物であり、
任意に、前記鉱物フィラーは、シリカフィラー、チタニアフィラーおよびアルミナフィラー、炭酸カルシウムフィラー、硫酸カルシウムフィラーまたはそれらの混合物であり、
任意に、前記シリカフィラーは、疎水化ヒュームドシリカフィラーであり、
任意に、前記ポリマーフィラーは、ポリスチレンビーズ、ポリオレフィンビーズ、ポリエステルビーズ、ポリアミドビーズ、発泡ポリスチレンビーズ、発泡ポリオレフィンビーズ、発泡ポリエステルビーズ、発泡ポリアミドビーズ、中空ポリマー球、およびそれらの混合物を含み、
任意に、前記ポリマーフィラーは、平均粒径が１０μｍ〜５ｍｍ、例えば２０μｍ〜３ｍｍ、特に２０μｍ〜１００μｍの中空ポリマー球を含む
請求項１〜７のいずれか一項に記載のモデリングコンパウンド。
【請求項９】
ｅ）顔料；
ｆ）光沢剤；
ｇ）マイカまたは被覆マイカ；
ｈ）香料；
ｉ）保存剤
から選択される少なくとも１つの成分をさらに含む、請求項１〜８のいずれか一項に記載のモデリングコンパウンド。
【請求項１０】
請求項１〜９のいずれか一項に記載の少なくとも１つの組成物を含む、または前記少なくとも１つの組成物からなる充填材料、密封材料、マスキング材料、包装材料および／または絶縁材料。
【請求項１１】
前記コンパウンドは、相対湿度１０％〜９０％の湿度範囲にさらしたとき、および／または水に曝したとき、少なくとも１時間の間、前記組成物から失われるフィラー材料の量は、５重量％以下である、請求項１〜９のいずれか一項に記載のモデリングコンパウンド。
【請求項１２】
対象物の彫り型（impression）を形成する方法であって、
前記対象物の内面および／または外面の少なくとも一部に、請求項１〜９および１１のいずれか一項に記載のモデリングコンパウンドを押し当てることを含む、方法。
【請求項１３】
モデリングコンパウンド、充填材料、密封材料、マスキング材料、包装材料および／または絶縁材料としての請求項１〜９のいずれか一項に記載の組成物の使用。
【請求項１４】
バインダー組成物および少なくとも１つのフィラーを含む、少なくとも１つの充填組成物を形成する方法であって、
ａ）酢酸ビニルと少なくとも１つの他のビニルエステルとの１つ以上のコポリマー、または酢酸ビニルの少なくとも１つのホモポリマーおよび酢酸ビニルと少なくとも１つの他のビニルエステルとの少なくとも１つのコポリマー；
ｂ）少なくとも１つの軟化剤；および任意で
ｃ）少なくとも１つのシリコーン油
を混合することによってバインダー組成物を生成すること、および
前記バインダー組成物と少なくとも１つのフィラー材料とを結合させることを含み、
前記結合は０〜５０℃の温度で行われ、
成分ａ）は、成分ａ）および成分ｂ）ならびに存在する場合は成分ｃ）の３０〜９５重量％の量で存在し、
成分ｂ）は、成分ａ）および成分ｂ）ならびに存在する場合は成分ｃ）の１０〜７０重量％の量で存在する
方法。
【請求項１５】
請求項１〜９のいずれか一項に記載の組成物を形成するための請求項１４に記載の方法。